(57)【要約】【課題】下枠から室外に排水を行う部分のコストダウンを図ることのできるサッシを提供する。【解決手段】下枠１１には上面に内レール３１と外レール３２とが起立状に形成され、室外側部に網戸４の下辺部に配置される下網戸枠３３が形成され、下網戸枠は外レールの室外面から室外側に向かって突出する網戸枠延出部３３ａと網戸レール３３ｂとを有し、外レールは下枠の上面を流れてきた水を排水する外レール排水口３２ａを有し、網戸枠延出部３３ａは長孔状の網戸枠排水口３３ｃを有し、外レールの室外側であって網戸枠延出部の下方には排水弁部材３７を取付け、排水弁部材は外レール排水口に連通すると共に、外レール排水口に対する弁体部３７ｂを備えた本体部３７ａと、網戸枠排水口を塞ぐと共に長手方向に複数の細孔が形成されたスリット部３７ｄを備えた水抜き部３７ｃとが一体的に形成されてなる。【選択図】図３
2008111300.tif 000002
【特許請求の範囲】
【請求項１】
上下枠及び左右の縦枠を方形状に枠組みしてなる枠体に内外障子と網戸を納めてなるサッシにおいて、
前記下枠には上面に前記内障子を案内する内レールと前記外障子を案内する外レールとが起立状に形成されると共に、室外側部に前記網戸の下辺部に配置される下網戸枠が形成され、該下網戸枠は前記外レールの室外面から室外側に向かって突出する網戸枠延出部と、該網戸枠延出部の室外側先端部から上方に向かって起立状に形成される網戸レールとを有し、
前記外レールは前記下枠から起立する下端部近傍に前記下枠の上面を流れてきた水を排水する外レール排水口を有し、前記網戸枠延出部はその上面に浸入した水を排水する長孔状の網戸枠排水口を有し、
前記外レールの室外側であって前記網戸枠延出部の下方には排水弁部材を取付け、該排水弁部材は前記外レール排水口に連通すると共に、該外レール排水口に対する弁体部を備えた本体部と、前記網戸枠排水口を塞ぐと共に長手方向に複数の細孔が形成されたスリット部を備えた水抜き部とが一体的に形成されてなることを特徴とするサッシ。
【請求項２】
前記水抜き部は前記本体部の上部に弾性を有するように形成されると共に、前記網戸枠延出部に対して弾性的に当接することを特徴とする請求項１記載のサッシ。
【請求項３】
前記スリット部は上方に向かって突出状に形成されると共に、前記網戸枠排水口に対して弾性的に係合してそれを塞ぐことを特徴とする請求項２記載のサッシ。
【発明の詳細な説明】
【技術分野】
【０００１】
本発明は、枠体内に内外障子と網戸を納めてなるサッシに関し、特に枠体を構成する下枠に浸入した水を下枠上面及び網戸枠から排水するサッシに関する。
【背景技術】
【０００２】
引き違いサッシとして、上下枠及び左右の縦枠を方形状に枠組みした枠体内に内外障子を納め、さらに外障子の室外側には網戸を納めてなるものが知られている。この引き違いサッシでは、下枠に浸入した水を室外に排水する必要がある。下枠上面には室内端部に立ち上がり片が形成されると共に、内外レールを案内する内レールと外レールがそれぞれ形成される。また、従来のサッシにおいて下枠は内部が中空状に形成され、下枠に浸入した水を一旦、この中空部に導いて下枠の室外面から排出するようにしていた。このようなサッシとしては、例えば特許文献１に挙げるようなものがある。
【特許文献１】特開２００５−１３９８４５号公報
【発明の開示】
【発明が解決しようとする課題】
【０００３】
また、網戸を納める網戸枠の部分に浸入した水は、網戸枠の両端部を切り欠いてそこから室外側に排水するか、あるいは網戸枠の下面に排水口を設けて室外側に排水するようにしていた。しかし、網戸枠を切り欠くと意匠性を損ねると共に、端面が露出するという問題がある。また、網戸枠の下面に排水口を設ける場合には、虫等の侵入を防止するために孔をスリット状とする必要があるが、金属製の下枠にスリット加工を行うことは困難で、コストアップを招いていた。
【０００４】
本発明は、上記課題を解決すべくなされたものであり、下枠から室外に排水を行う部分のコストダウンを図ることのできるサッシを提供することを目的とする。
【課題を解決するための手段】
【０００５】
上記課題を解決するため、本発明に係るサッシは、上下枠及び左右の縦枠を方形状に枠組みしてなる枠体に内外障子と網戸を納めてなるサッシにおいて、
前記下枠には上面に前記内障子を案内する内レールと前記外障子を案内する外レールとが起立状に形成されると共に、室外側部に前記網戸の下辺部に配置される下網戸枠が形成され、該下網戸枠は前記外レールの室外面から室外側に向かって突出する網戸枠延出部と、該網戸枠延出部の室外側先端部から上方に向かって起立状に形成される網戸レールとを有し、
前記外レールは前記下枠から起立する下端部近傍に前記下枠の上面を流れてきた水を排水する外レール排水口を有し、前記網戸枠延出部はその上面に浸入した水を排水する長孔状の網戸枠排水口を有し、
前記外レールの室外側であって前記網戸枠延出部の下方には排水弁部材を取付け、該排水弁部材は前記外レール排水口に連通すると共に、該外レール排水口に対する弁体部を備えた本体部と、前記網戸枠排水口を塞ぐと共に長手方向に複数の細孔が形成されたスリット部を備えた水抜き部とが一体的に形成されてなることを特徴として構成されている。
【０００６】
また、本発明に係るサッシは、前記水抜き部は前記本体部の上部に弾性を有するように形成されると共に、前記網戸枠延出部に対して弾性的に当接することを特徴として構成されている。
【０００７】
さらに、本発明に係るサッシは、前記スリット部は上方に向かって突出状に形成されると共に、前記網戸枠排水口に対して弾性的に係合してそれを塞ぐことを特徴として構成されている。
【発明の効果】
【０００８】
本発明に係るサッシによれば、外レールの室外側であって網戸枠延出部の下方には排水弁部材を取付け、排水弁部材は外レール排水口に連通すると共に、外レール排水口に対する弁体部を備えた本体部と、網戸枠排水口を塞ぐと共に長手方向に複数の細孔が形成されたスリット部を備えた水抜き部とが一体的に形成されてなることにより、排水弁部材がスリットを有しているので、網戸枠延出部にスリット加工する必要がなく、網戸枠の排水口に容易かつ低コストにスリットを設けることができると共に、下枠上面からの排水部と一体化されているので、さらなるコストダウンを図ることができる。また、網戸レールの端部を切り欠く必要もないので、意匠性を向上させることができると共に、その端面を露出させることもない。
【０００９】
また、本発明に係るサッシによれば、水抜き部は本体部の上部に弾性を有するように形成されると共に、網戸枠延出部に対して弾性的に当接することにより、網戸枠延出部から水抜き部に確実に水を導くことができる。
【００１０】
さらに、本発明に係るサッシによれば、スリット部は上方に向かって突出状に形成されると共に、網戸枠排水口に対して弾性的に係合してそれを塞ぐことにより、網戸枠延出部の上面に浸入した水を、スリット部を介して確実に排水することができる。
【発明を実施するための最良の形態】
【００１１】
本発明のサッシの実施形態について図面に沿って詳細に説明する。図１には本実施形態におけるサッシの縦断面図を、図２にはその横断面図を、それぞれ示している。これら各図に示すように、本実施形態におけるサッシは、建物開口部に取付けられる方形状の枠体１内に内障子２と外障子３がそれぞれ引き違い状で開閉自在に納められ、外障子３の室外側にはさらに網戸４が納められてなるものである。内障子２と外障子３は方形状に框組みされてなる框体５の内部にガラス体６を納めて構成される。
【００１２】
枠体１は、上枠１０と下枠１１及び左右の縦枠１２、１２を方形状に枠組みしてなるものである。上枠１０は金属上枠１０ａとその室内側に取付けられる樹脂上枠１０ｂとからなり、下枠１１は金属下枠１１ａとその室内側に取付けられる樹脂下枠３５とからなり、縦枠１２は金属縦枠１２ａとその室内側に取付けられる樹脂縦枠１２ｂとからなっている。金属上枠１０ａと金属下枠１１ａ及び金属縦枠１２ａは、いずれもアルミの押出型材によって形成される。樹脂上枠１０ｂと樹脂下枠３５及び樹脂縦枠１２ｂは、いずれも合成樹脂によって形成され、また室内側端部には四周に渡って室内側に向かって延出されるアングル部１３が一体的に形成されている。
【００１３】
框体５は、上框２０と下框２１及び左右の縦框２２、２２を方形状に框組みしてなるものである。上框２０は金属上框２０ａとその室内側に取付けられる樹脂上框２０ｂとからなり、下框２１は金属下框２１ａとその室内側に取付けられる樹脂下框２１ｂとからなり、縦框２２は金属縦框２２ａとその室内側に取付けられる樹脂縦框２２ｂとからなっている。
【００１４】
次に、下枠１１の構造についてさらに詳細に説明する。図３には図１の縦断面図における下枠１１付近の拡大図を示している。この図に示すように、下枠１１の上面１１ｃには、室内側から順に室内側片３０と内レール３１及び外レール３２が起立状に突出するように形成されている。また、外レール３２の室外面には、網戸４を案内する下網戸枠３３が形成されている。
【００１５】
下網戸枠３３は、外レール３２の室外面から室外側に向かって突出する網戸枠延出部３３ａと、網戸枠延出部３３ａの室外端部から上方に向かって起立状に突出した網戸レール３３ｂとからなっている。網戸４は、下端部が網戸レール３３ｂに案内されることで、枠体１内を長手方向に走行自在とされる。
【００１６】
下枠１１の上面１１ｃは、レールが形成される部分で段差を有するように、全体としては室内側より室外側の方が低くなるように形成されている。下枠１１の上面１１ｃのうち室内側片３０と内レール３１の間の領域は、室内側から室外側に向かって若干下り傾斜状となるように形成されている。また、下枠１１の上面１１ｃのうち内レール３１と外レール３２の間の領域は、室内側片３０と内レール３１の間の領域よりも一段低く形成され、またその中間位置には段差が形成されている。さらに、この領域においても平面部分は室内側から室外側に向かって若干下り傾斜状となるように形成されている。
【００１７】
下枠１１の上面１１ｃには、室内側片３０と内レール３１の間の領域に前述のように樹脂下枠３５が設けられる。樹脂下枠３５は、室内外方向において室内側片３０から内レール３１に渡る上面構成部３５ａを有し、その室外端部には内レール３１に対して係合される内レール固定部３５ｂが形成されている。また、前述のように樹脂下枠３５の室内側端部にはアングル部１３が形成されている。樹脂下枠３５の上面構成部３５ａは、その上面が下枠１１の上面１１ｃよりも上方に位置し、かつ室内側から室外側に向かって若干下り傾斜状となるように形成されている。これによって、樹脂下枠３５の上面に浸入した水は、室外側に向かって流れるようにされている。
【００１８】
また、下枠１１の上面１１ｃには、内レール３１と外レール３２の間の領域にレール間カバー材３６が設けられる。レール間カバー材３６は、内レール３１から外レール３２に渡って上面を構成する上面構成部３６ａと、内レール３１に対して係合される内レール固定部３６ｂと、外レール３２に対して係合される外レール固定部３６ｃとを有している。レール間カバー材３６の上面構成部３６ａは、下枠１１の上面１１ｃよりも上方に位置すると共に、室内側から室外側に向かって若干下り傾斜状となるように形成されている。これによって、レール間カバー材３６の上面に浸入した水は、室外側に向かって流れるようにされている。
【００１９】
さらに、下網戸枠３３を構成する網戸枠延出部３３ａも、室内側から室外側に向かって若干下り傾斜状となるように形成されている。そして、樹脂下枠３５の上面構成部３５ａとレール間カバー材３６の上面構成部３６ａ、及び網戸枠延出部３３ａは、下枠１１において室内側から室外側に渡って略同じ高さとなるように形成されており、上方から下枠１１を見た場合に一連の見掛面１４を構成するようにされている。
【００２０】
内レール３１には、樹脂下枠３５が取付けられた領域から室外側に排水を行うための排水口３１ｂが長手方向に複数設けられる。これによって、室内側片３０と内レール３１の間の領域において樹脂下枠３５の上面及び下枠１１の上面１１ｃに浸入した水は、内レール３１と外レール３２の間の領域における下枠１１の上面１１ｃに導かれる。
【００２１】
内レール３１と外レール３２の間の領域においてレール間カバー材３６の上面に浸入した水は、上面構成部３６ａが室外側に向かう下り傾斜状に形成されていることにより、室外側に導かれると共に、レール間カバー材３６の外レール固定部３６ｃの位置においてそれより下方に位置する下枠１１の上面１１ｃへと導かれる。
【００２２】
下枠１１の上面１１ｃに導かれた水は、外レール３２の下端部に形成される排水口３２ａから室外に排水される。排水口３２ａは下枠１１の長手方向に複数形成され、またこの排水口３２ａには排水弁部材３７が設けられていて、これを介して室外側に排水がなされる。
【００２３】
また、下網戸枠３３に浸入した水は、網戸枠延出部３３ａに形成される排水口３３ｃから室外に排水される。排水口３３ｃには、排水弁部材３７の上部に形成される水抜き部３７ｃが嵌め込まれており、このため網戸枠延出部３３ａに浸入した水は、排水弁部材３７の水抜き部３７ｃを介して室外側に排水される。
【００２４】
このように、室内側片３０から外レール３２までの領域に浸入した水は、下枠１１の上面１１ｃに導かれて室外側に排水され、下網戸枠３３に浸入した水は、直接室外側に排水されるので、下枠１１の中空部に水が導かれることがなく、したがって樹脂下枠３５やレール間カバー材３６を取り外すことによって下枠１１の上面１１ｃを容易に清掃することができ、水や埃等の滞留を防止することができる。
【００２５】
図４には、図３から内外障子２、３及び網戸４を除いた状態の図を示している。この図に示すように、下枠１１の見掛面１４は、それを構成する上面構成部３５ａ、３６ｂ、及び網戸枠延出部３３ａのそれぞれが室内側から室外側に向かう下り傾斜状に形成されているので、全体として略同じ高さとなるように形成されると共に、室内側から室外側に向かう下り傾斜状で、かつ室内外方向に略連続状の面となるように形成される。見掛面１４は、下枠１１の上面１１ｃよりも緩やかな角度に形成されており、かつ略連続状の一連の面となるように形成されていることにより、下枠１１を上方から見た場合の意匠性を確保することができる。
【００２６】
次に、下枠１１の室外側に設けられる排水弁部材３７についてより詳細に説明する。図５には排水弁部材３７の正面図を、図６には図５のＡ−Ａ断面図を、図６には排水弁部材３７の平面図を、それぞれ示している。図５及び図６に示すように、排水弁部材３７は箱状に形成された本体部３７ａと、その上部に形成される水抜き部３７ｃとを有してなり、室外面下部には水を室外側に排水する排水口３７ｅが形成されている。また、図６及び図７に示すように、本体部３７ａの室内面には係合片３８ｈが２つ形成されており、これが下枠１１の室外面に係合されることによって、排水弁部材３７を下枠１１に固定することができる。水抜き部３７ｃは、本体部３７ａに一辺が支持されるように形成されることで、本体部３７ａに対して弾性を有するように形成されている。
【００２７】
図６に示すように、本体部３７ａの室内面には室外側に向かって揺動自在な弁体部３７ｂが形成されている。弁体部３７ｂは、揺動支点３７ｆを中心に室外側に向かってのみ揺動し、室内側に向かっては当接部３８ｇによって揺動しないように構成されている。これによって、室内側から流れる水は弁体部３７ｂが室外側に向かって揺動することで排水することができ、一方で室外側から風が吹き込んできた場合には弁体部３７ｂは揺動しないので、水や埃等が下枠１１内に逆流することを防止することができる。
【００２８】
また、水抜き部３７ｃは本体部３７ａの上面のさらに上方に配置されるように形成されており、図７に示すように長手方向に沿って複数のスリットを有したスリット部３７ｄを有している。スリット部３７ｄは図６に示すように水抜き部３７ｃの上面からやや突出するように形成されており、網戸枠延出部３３ａに形成される排水口３３ｃに嵌り込んで係合することができるようにされている。また、水抜き部３７ｃは本体部３７ａに対して弾性を有するように形成されているので、網戸枠延出部３３ａに対して弾性的に当接することができると共に、スリット部３７ｄは排水口３３ｃに対して弾性的に係合することができる。そして図３に示すように、排水口３３ｃから排水される水は、網戸枠延出部３３ａに対して当接した水抜き部３７ｃによって本体部３７ａの上面に導かれ、さらに本体部３７ａの上面が室外側に向かって下方傾斜状に形成されていることにより、室外側に導かれて排水される。
【００２９】
このように、スリット部３７ｄが網戸枠延出部３３ａの排水口３３ｃに弾性的に係合するように取付けられることにより、障子を開放して網戸４を使用している際に、排水口３３ｃから虫等が室内に侵入することを防止することができる。また、金属材からなる下枠１１に対して直接スリットを形成する場合に比べて、樹脂材からなる排水弁部材３７には容易に細かいスリットを形成することができるので、安価にかつ効果的に虫の侵入を防止することができる。さらには、下枠１１からの排水弁と網戸枠延出部３３ａからの水抜き部品を一体化しているので、一層のコストダウンを図ることができるという効果も有している。また、水抜き部３７ｃからの水は本体部３７ａの上面を介して室外側に排水されることにより、弁体部３７ｂの開閉が水抜き部３７ｃからの排水に影響を与えないようにすることができる。
【００３０】
次に、下枠１１の上面１１ｃに設けられる各部材の長手方向の配置について説明する。図８には、内外障子２、３及び網戸４を取り外したサッシの横断面図を示している。この図に示すように、下枠１１の上面に形成される外レール３２及び網戸レール３３ｂは、いずれも下枠１１の長手方向全長に渡って形成される。また、内レール３１についても、下枠１１の両端部に渡って形成されるが、外障子３が配置される側の端部近傍は切り欠かれて、その位置には戸当たりブロック４０が設けられる。戸当たりブロック４０は樹脂によって形成されており、内障子２を全開の状態とした際に、その框体５が縦枠１２に衝突しないようにするストッパとして機能するものである。
【００３１】
下枠１１の上面１１ｃのうち内レール３１と外レール３２の間の領域には、中央部に中央気密部品４１が設けられる。中央気密部品４１は、上面にヒレ状部４１ａを有しており、内障子２と外障子３の召合せ部分における気密性を確保する。また、この領域の中央気密部品４１の左右部、すなわち内外障子２、３が閉じた状態で内障子２が配置される側及び外障子３が配置される側にはそれぞれ前述のレール間カバー材３６が設けられる。
【００３２】
内外障子２、３が閉じた状態で外障子３が配置される側のレール間カバー材３６は、室内側に露出するものであって、樹脂材によって形成される。また、このレール間カバー材３６は、下枠１１に対して着脱自在な仕切部品５０を介して左右に分割されている。左右に分割されたレール間カバー材３６は、縦枠１２側の第１内側カバー４５と中央気密部品４１側の第２内側カバー４６とからなっている。
【００３３】
また、内外障子２、３が閉じた状態で内障子２が配置される側のレール間カバー材３６は、室外側に露出するものであって、金属材によって形成される。また、このレール間カバー材３６も下枠１１に対して着脱自在な仕切部品５０を介して左右に分割される。左右に分割されたレール間カバー材３６は、縦枠１２側の第１外側カバー４７と中央気密部品４１側の第２外側カバー４８とからなっている。
【００３４】
図９には、仕切部品５０の斜視図を示している。この図に示すように、仕切部品５０は略箱形状に形成される本体部５１と、本体部５１の上部に設けられる上面部５２とからなっている。ここで、上面部５２は本体部５１に対して室内外方向にスライド自在となるように保持される。
【００３５】
図１０には本体部５１の斜視図を、図１１には上面部５２の斜視図を、それぞれ示している。図１０は上面が手前側に、図１１は底面が手前側になるように示している。図１０に示すように本体部５１は、一側面が開口状に形成されると共に、それと隣り合う上面には開口部分と連続する切欠部５１ａが室内外方向に形成されている。また、上面と隣り合う両側面にはそれぞれ開口状の長孔５１ｃが形成されている。
【００３６】
また、図１１に示すように上面部５２は、本体部５１の上面より大きい方形状の上面構成部５２ａを有し、その底面には本体部５１の切欠部５１ａに挿入されて長孔５１ｃと係合し、本体部５１に対してスライド自在に保持されるスライド係合部５２ｂが形成されている。また、その室内側端部には突出状に下枠係合部５２ｃが形成されており、下枠１１の内レール３１に対して係合することで仕切部品５０を下枠１１に固定する。この下枠係合部５２ｃは、本体部５１に対して室内外方向にスライド自在な上面部５２に形成されていることにより、そのスライドに伴って下枠１１に対する係合が解除自在とされている。なお、上面部５２は本体部５１内においてバネ（図示しない）によって室内側に付勢された状態となる。
【００３７】
図１２には仕切部品５０が設けられた部分における下枠１１の縦断面図を示している。この図に示すように、仕切部品５０の本体部５１には、室外側面に突起状の室外係合部５１ｂが形成されており、これが下枠１１の外レール３２に形成される係合部３２ａに対して係合する。一方、仕切部品５０の室内端部には前述のように上面部５２に形成された下枠係合部５２ｃがあって、これが下枠１１の内レール３１に形成される係合部３１ａに対して係合する。そして、この状態で上面部５２の上面構成部５２ａの室外端部と外レール３２との間には隙間があり、したがって上面部５２を室外側に向かってスライドさせることができる。それに伴い、内レール３１の係合部３１ａに対する下枠係合部５２ｃの係合状態が解除され、仕切部品５０を下枠１１から取り外すことができる。
【００３８】
ここで図８に示すように、第１内側カバー４５は、その両端部が仕切部品５０と戸当たりブロック４０にそれぞれ固定されている。また、第２内側カバー４６は、その両端部が仕切部品５０と中央気密部品４１にそれぞれ固定されている。戸当たりブロック４０は、第１内側カバー４５の端部を呑み込むことができるように形成されており、第１内側カバー４５は端部が戸当たりブロック４０に対して挿入固定される。また、中央気密部品４１は、両端上面部がそれぞれ鍔状に突出しており、その下部に第２内側カバー４６の端部を呑み込むことができるように形成されている。仕切部品５０は、図１２に示すように上面部５２の下面がレール間カバー材３６の上面に当接する位置にあって、第１内側カバー４５の端部は仕切部品５０に上方から被覆されることによって固定される。
【００３９】
図８に示すように、第１外側カバー４７は、その両端部が仕切部品５０と縦枠１２の内周面に形成されるフィン部１２ｃにそれぞれ固定されている。また、第２外側カバー４８は、仕切部品５０と中央気密部品４１にそれぞれ固定されている。縦枠１２内周面のフィン部１２ｃは、下端部が切り欠かれており、第１外側カバー４７の端部はその切欠部分に納められてフィン部１２ｃによって固定される。また、仕切部品５０及び中央気密部品４１によるレール間カバー材３６の固定については、第１内側カバー４５及び第２内側カバー４６の場合と同様である。
【００４０】
このように、レール間カバー材３６は下枠１１に対して着脱自在な仕切部品５０を介して左右に分割されていることにより、仕切部品５０を取り外すことで各部材を長手方向にスライドさせて、それらを容易に下枠１１から取り外すことができる。特に、内外障子２、３を枠体１から取り外さなくても、各レール間カバー材３６を下枠１１から取り外すことができるので、下枠１１の上面の清掃を容易に行うことができる。
【００４１】
次に、中央気密部品４１の設置について説明する。図１３には中央気密部品４１が設けられた部分における下枠１１の縦断面図を示している。内障子２と外障子３の召合せ部分においては、内レール３１と外レール３２の間の領域において内障子２が配置される側と外障子３が配置される側とで気密性を確保する必要があるため、内レール３１と外レール３２の間の全領域を塞ぐ必要がある。
【００４２】
ここで、図１３に示すように、上面にヒレ状部４１ａを有した中央気密部品４１は、内レール３１の係合部３１ａ及び外レール３２の係合部３２ａの位置に下面があって、その下方には内レール３１と外レール３２の間の下部領域の断面形状に略適合する形状に形成された止水部品４２が設けられている。止水部品４２は発泡材によって形成され、その上面が中央気密部品４１の下面に当接するようにされている。これら中央気密部品４１及び止水部品４２によって、内外障子２、３の召合せ部分において内レール３１と外レール３２の間の領域を塞ぐようにしている。なお、止水部品４２の材質は発泡材には限られず、その他合成樹脂やゴム等で形成してもよい。
【００４３】
以上、本発明の実施形態について説明したが、本発明の適用は本実施形態に限られるものではなく、その技術的思想の範囲内において様々に適用されうるものである。
【図面の簡単な説明】
【００４４】
【図１】本実施形態におけるサッシの縦断面図である。
【図２】本実施形態におけるサッシの横断面図である。
【図３】図１の下枠付近拡大図である。
【図４】図３から内外障子及び網戸を除いた状態の図である。
【図５】排水弁部材の正面図である。
【図６】図４のＡ−Ａ断面図である。
【図７】排水弁部材の平面図である。
【図８】障子及び網戸を取り外したサッシの横断面図である。
【図９】仕切部品の斜視図である。
【図１０】仕切部品を構成する本体部の斜視図である。
【図１１】仕切部品を構成する上面部の斜視図である。
【図１２】仕切部品が設けられた部分における下枠の縦断面図である。
【図１３】中央気密部品が設けられた部分における下枠の縦断面図である。
【符号の説明】
【００４５】
１    枠体
２    内障子
３    外障子
４    網戸
１０    上枠
１１    下枠
１１ｃ  上面
１２    縦枠
１２ｃ  フィン部
１３    アングル部
１４    見掛面
３０    室内側片
３１    内レール
３２    外レール
３３    下網戸枠
３３ａ  網戸枠延出部
３３ｂ  網戸レール
３５    樹脂下枠
３６    レール間カバー材
３７    排水弁部材
３７ａ  本体部
３７ｂ  弁体部
３７ｃ  水抜き部
３７ｄ  スリット部
４０    戸当たりブロック
４１    中央気密部品
４２    止水部品
４５    第１内側カバー
４６    第２内側カバー
４７    第１外側カバー
４８    第２外側カバー
５０    仕切部品
５１    本体部
５２    上面部
【図１】
2008111300.tif 000003
【図２】
2008111300.tif 000004
【図３】
2008111300.tif 000005
【図４】
2008111300.tif 000006
【図５】
2008111300.tif 000007
【図６】
2008111300.tif 000008
【図７】
2008111300.tif 000009
【図８】
2008111300.tif 000010
【図９】
2008111300.tif 000011
【図１０】
2008111300.tif 000012
【図１１】
2008111300.tif 000013
【図１２】
2008111300.tif 000014
【図１３】
2008111300.tif 000015